(57)【要約】【課題】塵埃収容部へ取り込んだ塵埃が再びフィルター側に逆流することなく、塵埃収容部へ着実に収容できる電気掃除機を提供すること。【解決手段】電動送風機２により吸引している状態で第２の開閉手段２５および第１の開閉手段２１を共に閉じ、集塵ケース３内の気圧を大気圧より低い負圧状態にした後、第１の開閉手段２１を少なくとも１回開閉することで、集塵ケース３内圧力と大気圧との圧力差により、開口部２０から取り込んだ外気気流５０によってフィルター１３に付着した塵埃を除去すると共に、それに連動して塵埃収容部１６の容積を拡大する。これにより、塵埃収容部へ一旦収容した塵埃が再びフィルター側に逆流することなく、塵埃収容部へ着実に収容できる。【選択図】図２
2011078520.tif 000002
【特許請求の範囲】
【請求項１】
吸引風を発する電動送風機と、前記電動送風機の上流側に設置され吸引口から吸引した塵埃を含む空気を導入する集塵ケースと、前記集塵ケース内に配置され前記塵埃を捕集するフィルターと、前記フィルターの略下方に設けられた塵埃収容部と、前記フィルターの略上方に設けられ前記集塵ケース内と外気とを連通する開口部と、前記開口部から流れ込む外気の流れを開閉する第１の開閉手段と、前記吸引口に設けられ前記吸引風の通路を開閉する第２の開閉手段とを備え、前記第２の開閉手段および前記第１の開閉手段を閉じて、前記電動送風機により前記集塵ケース内の気圧を大気圧より低い負圧状態にした後、前記第１の開閉手段を少なくとも１回開いて、前記外気を前記開口部から前記集塵ケース内へ流入させると共に、前記第１の開閉手段の開動作に連動して前記塵埃収容部の容積を増大させる電気掃除機。
【請求項２】
前記塵埃収容部は可動壁を有し、前記第１の開閉手段の開動作に連動して前記可動壁を移動させ、前記塵埃収容部の容積を増大させる請求項１に記載の電気掃除機。
【請求項３】
前記集塵ケース内と通じる前記塵埃収容部の入口に弁を設けた請求項１または２に記載の電気掃除機。
【請求項４】
前記塵埃収容部の壁面を一部弾性体で構成した請求項１〜３のいずれか１項に記載の電気掃除機。
【発明の詳細な説明】
【技術分野】
【０００１】
本発明は、フィルターの除塵機能を有した電気掃除機に関するものである。
【背景技術】
【０００２】
従来、この種の電気掃除機は、吸引口から流入した含塵空気から塵埃を分離する塵埃分離部と、塵埃分離部を通過した空気にまだ含まれる細塵を捕捉するためにプリーツ状のフィルターを有しており、フィルターの吸気面を除塵する往復移動可能に配置された櫛刃状の除塵子、該除塵子に一方向への移動力を付与する回転駆動体、および除塵子を初期の位置に復帰させるばね部材をそれぞれ設けた中間部材を前記フィルターの吸気側に着脱自在に設けていた。
【０００３】
そして、ばね部材の弾性力によって除塵子をフィルター面に叩き付け、フィルター面に付着した塵埃の除塵を行っていた。この除塵動作を、はじき除塵という（例えば、特許文献１参照）。
【先行技術文献】
【特許文献】
【０００４】
【特許文献１】特公昭６３−５１０１３号公報
【発明の概要】
【発明が解決しようとする課題】
【０００５】
しかしながら、前記従来の構成では往復運動を与えるための駆動源、駆動力を伝達するギヤ部、また回転運動を直線運動に変換するギヤ部等の構成が複雑になってしまったり、このギヤ構成の一部はフィルター吸気面側に配置させる必要があったりする。すると、フィルターの吸気面に付着する細塵がギヤ部にも付着して、細塵の咬み込みを起こすことにより、ギヤ部がロックしてしまう恐れがあり、除塵動作の信頼性に問題があった。また、このはじき除塵による衝撃では、フィルター部に詰まった塵埃を充分に除塵することが出来ないという課題を有していた。
【０００６】
本発明は、前記従来の課題を解決するもので、集塵ケース内を低圧状態にし、瞬間的に外気気流を取り入れ、その勢いでフィルターに詰まった塵埃を取り除き、下方に設けた塵埃収容部に確実に塵埃を留めて取り込むことができる電気掃除機を提供することである。
【課題を解決するための手段】
【０００７】
前記従来の課題を解決するために、本発明の電気掃除機は、吸引風を発する電動送風機と、前記電動送風機の上流側に設置され吸引口から吸引した塵埃を含む空気を導入する集塵ケースと、前記集塵ケース内に配置され前記塵埃を捕集するフィルターと、前記フィルターの略下方に設けられた塵埃収容部と、前記フィルターの略上方に設けられ前記集塵ケース内と外気とを連通する開口部と、前記開口部から流れ込む外気の流れを開閉する第１の開閉手段と、前記吸引口に設けられ前記吸引風の通路を開閉する第２の開閉手段とを備え、前記第２の開閉手段および前記第１の開閉手段を閉じて、前記電動送風機により前記集塵ケース内の気圧を大気圧より低い負圧状態にした後、前記第１の開閉手段を少なくとも１回開いて、前記外気を前記開口部から前記集塵ケース内へ流入させると共に、前記第１の開閉手段の開動作に連動して前記塵埃収容部の容積を増大させる構成としている。
【０００８】
この構成によって、塵埃を多量に吸引しても、フィルターに付着した塵埃を取り除き、その塵埃を確実に塵埃収容部へ取り込むことができる。また、塵埃収容部へ収容した塵埃
が再舞い上がって、その塵埃がフィルターに再付着することがなくなり、電気掃除機の吸込力が低下しにくく、高い吸込仕事率を長期間維持することができ、さらにフィルターを清浄するメンテナンスを長期間不要にすることができる。
【発明の効果】
【０００９】
本発明の電気掃除機は、塵埃を多量に吸引しても吸込力が低下しにくく、高い吸込仕事率を長期間維持することができ、さらにフィルターを清浄するメンテナンスを長期間不要にすることができる。
【図面の簡単な説明】
【００１０】
【図１】本発明の実施の形態１における電気掃除機の全体構成を示す全体構成図
【図２】同電気掃除機の掃除機本体の縦断面図
【図３】同電気掃除機のフィルターを示す斜視図
【図４】同電気掃除機の第２の開閉手段を開いて塵埃を吸引する状態を示す縦断面図
【図５】同電気掃除機の第２の開閉手段を閉じた状態を示す縦断面図
【図６】同電気掃除機の第１の開閉手段を開いた状態を示す縦断面図
【図７】同電気掃除機の可動壁が元の位置に戻った状態を示す縦断面図
【図８】本発明の第２の実施の形態における電気掃除機の縦断面図と塵埃収容部の入口付近を示す一部拡大図
【図９】同電気掃除機の塵埃収容部の壁面に貼った弾性体を示す拡大図
【図１０】同電気掃除機の第２の開閉手段を開いて塵埃を吸引する状態を示す縦断面図
【図１１】同電気掃除機の第２の開閉手段を閉じた状態を示す縦断面図
【図１２】同電気掃除機の第１の開閉手段を開いた状態を示す縦断面図
【図１３】同電気掃除機の可動壁が元の位置に戻った状態を示す縦断面図
【図１４】同電気掃除機の塵埃収容部の壁面に塵埃が衝突した状態を示す拡大図
【発明を実施するための形態】
【００１１】
第１の発明は、吸引風を発する電動送風機と、前記電動送風機の上流側に設置され吸引口から吸引した塵埃を含む空気を導入する集塵ケースと、前記集塵ケース内に配置され前記塵埃を捕集するフィルターと、前記フィルターの略下方に設けられた塵埃収容部と、前記フィルターの略上方に設けられ前記集塵ケース内と外気とを連通する開口部と、前記開口部から流れ込む外気の流れを開閉する第１の開閉手段と、前記吸引口に設けられ前記吸引風の通路を開閉する第２の開閉手段とを備え、前記第２の開閉手段および前記第１の開閉手段を閉じて、前記電動送風機により前記集塵ケース内の気圧を大気圧より低い負圧状態にした後、前記第１の開閉手段を少なくとも１回開いて、前記外気を前記開口部から前記集塵ケース内へ流入させると共に、前記第１の開閉手段の開動作に連動して前記塵埃収容部の容積を増大させる電気掃除機である。
【００１２】
この構成により、外気気流によってフィルター表面から剥がされた塵埃が塵埃収容部に入り込むとき、塵埃収容部の容積が大きくなる構成としているため、塵埃収容部内に入り込んだ塵埃が塵埃収容部からフィルター側に逆戻りすることがほとんどなくなる。その結果、塵埃を多量に吸引しても吸込力が低下しにくく、高い吸込仕事率を長期間維持することができ、フィルターを清浄するメンテナンスを長期間不要にすることができる。
【００１３】
第２の発明は、特に第１の発明における塵埃収容部は可動壁を有し、第１の開閉手段の開動作に連動して前記可動壁を移動させ、前記塵埃収容部の容積を増大させる構成にしている。
【００１４】
これにより、外気気流によってフィルター表面から剥がされた塵埃が塵埃収容部に入り
込むとき、可動壁が移動して塵埃収容部の容積を増大させるため、塵埃収容部内に入り込んだ塵埃が塵埃収容部からフィルター側に逆戻りすることがほとんどなくなる。加えて、可動壁が元に戻る時に塵埃を多少なりとも圧縮するので、容積以上の塵埃を溜めることができると共に、その圧縮により塵埃が固められるため、塵埃の舞い上がりが防止できる効果もある。
【００１５】
第３の発明は、特に第１または第２の発明における集塵ケース内と通じる塵埃収容部の入口に弁を設けたことにより、外気気流により塵埃収容部の方にフィルター表面から剥がされた塵埃が塵埃収容部に入り込むときには、弁は外気気流により塵埃収容部側に可動するので、塵埃がスムーズに塵埃収容部に入り込む。塵埃が塵埃収容部の中に一旦入り込むと、入口の弁はその弾性力で元に戻り入口を塞ぐことになる。その結果、塵埃がまったくと言ってもよいほどフィルター側には戻ることがなくなり、フィルターを収容している集塵ケースに塵埃が行くことがなくなるため、さらに塵埃を多量に吸引しても吸込力が低下しにくく、高い吸込仕事率を更に長期間維持することができ、フィルターのメンテナンスを期間不要にすることができる。
【００１６】
この塵埃を落とす外気気流が内部に満たされ塵埃が動かなくなったあと、可変した可動壁がシーケンスによりもとの位置に塵埃を巻き上げないような動きで戻る。入口に弁はあるが可動壁がゆっくりと戻るため塵埃収容部にある空気はわずかな隙間から抜けていくため可動に支障は生じない。
【００１７】
第４の発明は、特に第１の発明における塵埃収容部の壁面を一部弾性体で構成したことにより、外気気流の流入と共に塵埃収容部の容積を大きくすることで、外気気流に乗って塵埃収容部内に勢いよく飛び込んできた塵埃がフィルター側に戻りにくくなったことに加えて、弾性体がクッションの役目を果たすので、塵埃収容部壁での跳ね上がりがなく塵埃収容部に留まるようになる。結果、さらに塵埃を多量に吸引しても吸込力が低下しにくく、高い吸込仕事率を長期間維持することができ、さらに長期間メンテナンス不要の電気掃除機を提供することができる。
【００１８】
以下に本発明の実施の形態について図面を参照しながら説明する。なお、本実施の形態によって本発明が限定されるものではない。
【００１９】
（実施の形態１）
図１は本発明の第１の実施の形態における電気掃除機の全体を示す斜視図である。
【００２０】
図１において、掃除機本体１の後部に電動送風機２を内蔵する電動送風機室を配し、前部に塵埃を分離捕集する集塵ケース３を配し、更に、掃除機本体１の前部には、ホース４の一端に設けた接続パイプ５が着脱自在に接続される吸引口６が設けられている。ホース４の他端には、掃除の際に握る把手を備えた先端パイプ７を設けており、この先端パイプ７には、延長管８の一端が着脱自在に接続され、さらに延長管８の他端には、床面の塵埃を吸い込むための吸込具９が着脱自在に接続されている。
【００２１】
掃除機本体の縦断面図を図２に示す。
【００２２】
図２に示すように、掃除機本体１は、後部に電動送風機２を内蔵する電動送風機室１８を配し、前部には塵埃を捕集する粗塵分離部１０を配している。粗塵分離部１０には、電動送風機２で発生する吸引風により吸引された粗塵を分離するための粗塵フィルター１１を配し、ここで、小石、綿ゴミ等の粗塵を分離する。この粗塵フィルター１１は金属メッシュ、パンチングメタル、樹脂メッシュなど、砂塵などの細塵が通り抜けられる比較的孔径の大きな部材を用いるのが好ましく、本実施の形態１では、貫通孔径が１００〜３００
ミクロンの微小な開口の貫通孔を設けた金属メッシュを用いている。
【００２３】
粗塵フィルター１１と電動送風機２との間には、粗塵フィルター１１を通過した細塵を捕獲するための細塵分離部１２を配し、細塵分離部１２の下方には塵埃収容部１６を設けている。塵埃収容部１６上部には塵埃舞い上がり防止リブ１７が斜め下方向を向いて配置されている。
【００２４】
細塵分離部１２には、ＰＥＴ樹脂で剛性を持たせたシート状の濾材の上流側に貫通孔径が約０．５ミクロンのＰＴＦＥ膜を付着させたプリーツ状のフィルター１３を備え、そのフィルター１３の周囲を弾性枠体１４にて弾性保持している。このフィルター１３は、細塵を分離、捕獲するものであり、折り返し部が上下方向となるように配している。これは、フィルター１３の吸気面に付着した細塵を除去する際、フィルター１３の吸気面から離脱した細塵を、下方に設けた塵埃収容部１６まで誘導するためである。
【００２５】
ここで言うフィルター１３の吸気面とは、電動送風機２で発生する吸引風が入り込んでくる上流側のフィルター面のことである。なお、フィルター１３はプリーツ形状でなく平板形状等の他の形状でも構わない。また、粗塵フィルター１１とフィルター１３の２つのフィルターを用いて塵埃を分離しているが、１つのフィルターであっても構わない。
【００２６】
フィルター１３の上流側上方には開口部２０を開閉する蓋状の第１の開閉手段２１がバネＡ２２によって第１の開閉手段２１を閉める方向に常に力を加えられ配置されている。第１の開閉手段２１は開閉棒２３によって下方から突き上げられて開閉する機構となっている。また、第１の開閉手段２１上方は第１の開閉手段２１を直接触れないように外気と連通している格子２４が設けられている。
【００２７】
吸引口６には、第２の開閉手段２５が回転軸２６によって回転自在に保持され、バネＢ２７によって第２の開閉手段２５を開く方向に常に力を加えられて配置されている。なお、本実施の形態では吸引口６に第２の開閉手段２５を設けたが、吸引口６に限らず粗塵分離室１１内など第１の開閉手段２１の上流側にあればよいものである。
【００２８】
集塵ケース５の下には、モータ２８ａと、モータ２８ａの回転を伝達するシャフト２９ａとが配置され、そのシャフト２９ａには開閉棒２３を上方向に動かすカムＡ３０と、回転軸２６を回転させるカムＢ３１とを備えており、モータ２８ａが回転すると第１の開閉手段２１と第２の開閉手段２５を開閉することができる。
【００２９】
このように第１の開閉手段２１および第２の開閉手段２５を１つのモータ２８ａで開閉させる構成としたことにより、２つの開閉手段の動作タイミングのずれを少なくすることができ安価で信頼性の高い電気掃除機を提供することができる。
【００３０】
図３に示すように第１の開口部２０は、フィルター１３のプリーツ形状の各々の谷部に対応させてフィルターユニットの天面に開口されている。外気気流５０は矢印のように第１の開口部２０からフィルター１３に向けて高速で流入し、フィルター１３表面に衝突して塵埃を剥がれやすくする。
【００３１】
第１の開閉手段２１および第２の開閉手段２５の開閉動作は、モータ２８ａによってカムＡ３０及びカムＢ３１を回転させることで行われるが、詳細は省略する。
【００３２】
なお、本実施の形態１ではモータとカムを組み合わせた構成を用いたが、電磁弁やバネで閉じられた蓋体が内部と外部の圧力差によって開くような開口部を設けて、その開口部に連通する外気の流れを任意に開閉するものであればよい。
【００３３】
また、図２に示すように、フィルター１３の略下方に塵埃収容部１６を設け、その塵埃収容部１６に可動壁１５を設けて、可動壁１５の移動に応じて塵埃収容部１６の容積を可変する構成としている。この可動壁１５は第１の開閉手段２１の開動作と連動して、塵埃収容部１６の容積が大きくなる方向に動く。駆動手段は、モータ２８ｂに連結さしたシャフト２９ｂが回ることにより、可動壁１５をスライドして動かせている。可動壁１５は回転方向に応じて左方向、或いは右方向へと移動方向を切り替えてスライドする。なお、可動壁１５は容積を変化させる手段であればよく、この形態に限るものではない。
【００３４】
以上のように構成された本実施の形態１の電気掃除機について、その動作を図４〜図７を用いて説明する。
【００３５】
電動送風機２を運転開始すると、吸引気流が発生し、吸込具９、延長管８、先端パイプ７、ホース４、接続パイプ５、吸引口６を通じて、空気とともに床面からの塵埃が集塵ケース３内に吸い込まれる。
【００３６】
図４に示すように、集塵ケース３内に吸い込まれた塵埃は、その塵埃に含まれた小石、綿ゴミ等の粗塵４０が粗塵分離部１０内の粗塵フィルター１１によって捕集され、粗塵フィルター１１を通過した砂塵などの細塵４１は細塵分離部１２のフィルター１３で捕集される。
【００３７】
図５に示すように、その後、掃除機本体１のスイッチを切ると、電動送風機２の吸引を持続したままモータ２８ａを起動させ、モータ２８ａの回転が開始すると、まずカムＢ３１と突起３２が当たり回転軸２６が回転し、第２の開閉手段２５が閉じられる。
【００３８】
第２の開閉手段２５が閉じた後、約０．１秒間に集塵ケース３内の圧力が約−２５０００Ｐａ〜−３５０００Ｐａまで低下してサチレーションし、その後モータ２８ａによって回転したカムＡ３０は開閉棒２３を上方向に押し上げ第１の開閉手段２１を開く。
【００３９】
なお、本実施の形態では、吸引は持続したまま自動的にモータ２８ａを回転させたが、１度電動送風機２の吸引力を落としてから、モータ２８ａを回転させてもよい。これにより、掃除機本体１のスイッチを切って除塵動作を開始したことを、電動送風機２の騒音を停止して、モータ２８ａの回転音で使用者に通知して、使用者に認識させることができる。また、本実施の形態では、圧力がサチレーションする所定時間を予め実験的に求め、その所定時間（約０．１秒）を経過後に第１の開閉手段２１を開く動作を行ったが、圧力検知手段を別途設けて、圧力がサチレーションすることを確認した後、第１の開閉手段２１を開く動作を行ってもよい。
【００４０】
図６に示すように、第１の開閉手段２１が開くと、集塵ケース３内圧力と大気圧との圧力差により生じる、開口部２０から集塵ケース３内への外気気流５０が瞬間的に流れ込む。その時、塵埃収容部１６に向かって流れる外気気流５０は、フィルター１３に付着した細塵４１を弾き飛ばして塵埃収容部１６まで移送する。このとき塵埃収容部１６には塵埃舞い上がり防止リブ１７があるため、塵埃収容部１６に収容された細塵４１が再び舞い上がることを防止している。
【００４１】
また粗塵分離部１０に向かって流れる外気気流５０は粗塵フィルター１１に付着した粗塵４０を粗塵フィルター１１裏面から剥がして弾き飛ばす。同時に、塵埃収容部１６は第１の開閉手段２１と連動し塵埃収容部１６の容積を可変させる可動壁１５を設けた構成としているため、外気気流５０によって塵埃収容部１６の方にフィルター１３表面から剥がされ、たたき落とされた塵埃は塵埃収容部１６に入り込むときに塵埃収容部１６の容積が
大きくなる。これにより塵埃収容部１６内に引き込まれ塵埃が塵埃収容部１６からフィルター１３に戻ることがほとんどなくなる。
【００４２】
図７に示すように、外気気流５０がサチレートすると可動壁１５はモータによりゆっくりと元の位置に戻る。この塵埃を落とす外気気流５０が内部に満たされ塵埃が動かなくなったあと、可変した可動壁１５がシーケンスによりもとの位置に塵埃を巻き上げないような動きで戻る。
【００４３】
結果、塵埃を多量に吸引しても吸込力が低下しにくく、高い吸込仕事率を長期間維持することができ、さらに長期間メンテナンス不要の電気掃除機を提供することができる。加えて可動壁１５が元に戻る時に塵埃を多少なりとも圧縮することで、容積以上の塵埃を溜めることができることと塵埃を捨てる時に圧縮されているため塵埃の舞い上がりが防止できる効果もある。図示したように塵埃収容部１６に塵埃を効率よく溜めることができる。この一連の動作を繰り返すわけであるが、溜める時は容積が大きくなり、また元に戻って押し固められるため塵埃収容部１６から出ることがない。
【００４４】
第１の開閉手段２１を開いてから約０．０３秒後に集塵ケース３内の圧力が約−５０００Ｐａ〜−１００００Ｐａまで増加してサチレーションし、その後モータ２８ａによってカムＡ３０がさらに回転し、開閉棒２３は下降して、第１の開閉手段２１が閉まる。
なお、本実施の形態では約０．０３秒後に第１の開閉手段２１を閉じたが、これは本構成において圧力がサチレーションする時間を測定したもので、圧力検知手段を設けて圧力がサチレーションすることを確認してもよい。また、サチレーションする時間および圧力は電動送風機の吸引力、集塵ケース３の大きさ等に依存しているためこの限りではない。
【００４５】
その後、モータ２８ａの回転に合わせて約０．３秒後に再び第１の開閉手段２１が開き除塵が行われこの開閉を５回繰り返す。５回目の最後は第１の開閉手段２１を閉じた後、電動送風機２の吸引を止め、吸引圧がなくなることで第２の開閉手段２５がバネＢ２７によって開き終了する。なお、本実施の形態では約０．３秒後に第１の開閉手段２１を再び開いたが、これは本構成において圧力がサチレーションする時間を測定しそれ以上としたもので、圧力検知手段を設けて圧力がサチレーションすることを確認してもよい。また、密閉開放を５回繰り返したが、この回数はフィルター１３の種類、圧力差などの条件によって最適値は異なり５回の限りではない。
【００４６】
（実施の形態２）
図８は本発明の第２の実施の形態における電気掃除機の掃除機本体の縦断面図であり、塵埃収容部１６の入口に弁３３を設けている点で第１の実施の形態と異なり、同一の部位は同一符号を付して説明を省略する。
【００４７】
図８に示すように、集塵ケース３に通じる塵埃収容部１６の入口に設けられた弁３３は、弾性体でできており、本実施形態では厚み０．５ｍｍのブチルゴムを使用している。
【００４８】
それに加えて、図９に示すように、塵埃収容部１６の壁面を一部弾性体で構成してもよい。本実施形態では、塵埃収容部１６の壁面にニトリルゴムを貼り付けているが、弾性を有した樹脂材料を吹き付けてもよい。
【００４９】
図１０〜図１３は、各動作状態を示す図であり、これらに基づいて動作を説明する。
【００５０】
図１０〜図１３に示すように、塵埃収容部１６の入口に弁３３を設けたことにより、外気気流５０により塵埃収容部１６の方にフィルター１３表面から剥がされ、たたき落とされた塵埃が塵埃収容部１６に入り込むときに弁３３も外気気流５０により塵埃収容部１６
側に可動することで塵埃がスムーズに塵埃収容部１６に入り込む。塵埃を含んだ外気気流が一旦塵埃収容部１６に入り込むと、入口の弁３３はその弾性力で元に戻り入口を塞ぐことになる。
【００５１】
そのあと、この塵埃を落とす外気気流５０が内部に満たされ塵埃が動かなくなったあと、可変した可動壁１５がシーケンスによりもとの位置に塵埃を巻き上げないような動きで戻る。入口に弁はあるが可動壁１５がゆっくりと戻るため塵埃収容部１６にある空気はわずかな隙間から抜けていくため可動に支障は生じない。
【００５２】
その結果、塵埃がまったくと言ってもよいほどフィルター１３側には戻ることがなくなりフィルター１３の表面への再付着やフィルター１３を収容しているケースに塵埃が行くことがなくなるため、さらに塵埃を多量に吸引しても吸込力が低下しにくく、高い吸込仕事率を長期間維持することができ、さらに長期間メンテナンス不要の電気掃除機を提供することができる。
【００５３】
また、図１４に示すように、塵埃収容部の壁面を一部弾性体で構成したことにより外気気流により勢いよく飛び込んできた塵埃が塵埃収容部の容積が大きくなることでフィルター側に戻りにくくなったことに加え、クッションの役目を果たすことで塵埃収容部に留まるようになる。結果、さらに塵埃を多量に吸引しても吸込力が低下しにくく、高い吸込仕事率を長期間維持することができ、さらに長期間メンテナンス不要の電気掃除機を提供することができる。
【００５４】
以上のように本実施の形態では、電動送風機２により吸引している状態で第２の開閉手段２５および第１の開閉手段２１を共に閉じ、集塵ケース３内の圧力をさらに大気圧より低い負圧状態にした後、第１の開閉手段２１を少なくとも１回開閉することで、集塵ケース３内圧力と大気圧との圧力差により生じる開口部２０から集塵ケース３内への外気流入５０を発生させ、外気気流５０によってフィルター１３に付着した塵埃を効率よく下方に設けた塵埃収容部に弾き飛ばして除去し、塵埃収容部の容積を可変させることで塵埃を塵埃収容部から逆流して噴き出すことを防ぐことができる。
【００５５】
その結果、塵埃が多量に下方に吹き飛ばされても塵埃収容部に留めることができるものであり、フィルターの再付着による目詰まりを防止することができ、高い吸込仕事率を長期間維持することができ、さらに長期間メンテナンス不要の電気掃除機を提供することができる。
【産業上の利用可能性】
【００５６】
以上説明したように、本発明によれば、塵埃を分離・捕集するフィルターを効率良く除塵することが可能となるので、家庭用電気掃除機及び大型の電気掃除機等の用途にも適用できる。
【符号の説明】
【００５７】
１  掃除機本体
２  電動送風機
３  集塵ケース
４  ホース
５  接続パイプ
６  吸引口
７  先端パイプ
８  延長管
９  吸込具
１０  粗塵分離部
１１  粗塵フィルター
１２  細塵分離部
１３  フィルター
１５  可動壁
１６  塵埃収容部
１７  防止リブ
２０  開口部
２１  第１の開閉手段
２２  バネＡ
２３  開閉棒
２４  格子
２５  第２の開閉手段
２６  回転軸
２７  バネＢ
２８ａ，２８ｂ  モータ
２９ａ，２９ｂ  シャフト
３３  弁
３４  プリーツ
５０  外気気流
【図１】
2011078520.tif 000003
【図２】
2011078520.tif 000004
【図３】
2011078520.tif 000005
【図４】
2011078520.tif 000006
【図５】
2011078520.tif 000007
【図６】
2011078520.tif 000008
【図７】
2011078520.tif 000009
【図８】
2011078520.tif 000010
【図９】
2011078520.tif 000011
【図１０】
2011078520.tif 000012
【図１１】
2011078520.tif 000013
【図１２】
2011078520.tif 000014
【図１３】
2011078520.tif 000015
【図１４】
2011078520.tif 000016